(57)【要約】【課題】利便性が向上した携帯電子機器を提供すること。【解決手段】操作部と、外部操作により第１状態又は第２状態のいずれか一方の状態とされるスイッチ部と、前記スイッチ部の状態に応じて所定の機能の動作モードを制御する機能制御部と、前記スイッチ部が前記第１状態のときに前記操作部に対する操作を有効とし、前記スイッチ部が前記第２状態のときに前記操作部に対する操作を無効とする操作制御部と、を備え、前記所定の機能は、少なくとも第１モード及び第２モードの動作モードを有し、前記機能制御部は、前記スイッチ部が前記第１状態のときに前記操作部での操作により前記所定の機能が起動されると、前記所定の機能を前記第１モードにて動作させる。【選択図】図２
2012034063.tif 000002
【特許請求の範囲】
【請求項１】
操作部と、
外部操作により第１状態又は第２状態のいずれか一方の状態とされるスイッチ部と、
前記スイッチ部の状態に応じて所定の機能の動作モードを制御する機能制御部と、
前記スイッチ部が前記第１状態のときに前記操作部に対する操作を有効とし、前記スイッチ部が前記第２状態のときに前記操作部に対する操作を無効とする操作制御部と、
を備え、
前記所定の機能は、少なくとも第１モード及び第２モードの動作モードを有し、
前記機能制御部は、前記スイッチ部が前記第１状態のときに前記操作部での操作により前記所定の機能が起動されると、前記所定の機能を前記第１モードにて動作させる
携帯電子機器。
【請求項２】
請求項１に記載の携帯電子機器であって、
前記操作制御部は、前記所定の機能が起動されている場合には、前記スイッチ部が前記第２の状態となっても前記操作部に対する操作を有効とする
携帯電子機器。
【請求項３】
請求項１又は２に記載の携帯電子機器であって、
前記操作制御部は、前記所定の機能が起動されている場合に、前記スイッチ部が前記第２の状態とされると、動作モードを前記第２モードとする
携帯電子機器。
【請求項４】
請求項３に記載の携帯電子機器であって、
前記操作制御部は、前記スイッチ部が前記第２状態とされて前記所定の機能が前記機能制御部により前記第２モードにより動作されているときに、前記所定の機能の動作が終了されると、前記操作部に対する操作を無効とする
携帯電子機器。
【請求項５】
請求項４に記載の携帯電子機器であって、
前記操作制御部は、前記所定の機能の動作終了に伴い前記操作部に対する操作を無効とする場合に、操作無効となる旨を報知する
携帯電子機器。
【請求項６】
請求項１から５のいずれか１項に記載の携帯電子機器であって、
前記第１モードは前記第２モードに対して優先度の高い動作モードである
携帯電子機器。
【請求項７】
請求項６に記載の携帯電子機器であって、
前記所定の機能は、通常撮影モードとマクロ撮影モードとの動作モードを有する撮影機能であって、
前記機能制御部は、前記第１モードとして前記通常撮影モードにて前記撮影機能を動作し、前記第２モードとして前記マクロ撮影モードにて前記撮影機能を動作する
携帯電子機器。
【請求項８】
請求項６に記載の携帯電子機器であって、
前記所定の機能は、スピーカからの音声出力を規制する音声出力規制モードと当該音声出力が規制されない通常音声出力モードとの動作モードを有する音声出力機能であって、
前記機能制御部は、前記第１モードとして前記音声出力規制モードにて前記音声出力機能を動作し、前記第２モードとして前記通常音声出力モードにて前記音声出力機能を動作する
携帯電子機器。
【請求項９】
請求項１から８のいずれか１項に記載の携帯電子機器であって、
前記機能制御部は、前記所定の機能が動作されているときに、前記操作部での操作によって前記スイッチ部の状態に関係なく前記動作モードを設定可能とする
携帯電子機器。
【発明の詳細な説明】
【技術分野】
【０００１】
本発明は、携帯電子機器に関する。
【背景技術】
【０００２】
現在市場に流通している携帯電話機に代表される携帯電子機器は、操作部の操作をロックするロック機能を備えている携帯電子機器がある。このロック機能は、操作部に対する操作を有効にするか無効にするかを、ユーザが操作するロックスイッチの状態に基づいて決定する。ロックスイッチがオンにされている場合、携帯電子機器は操作部に対する操作を無効な操作として処理し、また、ロックスイッチがオフにされている場合、携帯電子機器は操作部に対する操作を有効な操作として処理する（例えば特許文献１を参照）。従って、ユーザは、ロックスイッチを用いることにより、操作部の誤操作を防ぐことが可能となる。
【先行技術文献】
【特許文献】
【０００３】
【特許文献１】特開２００７−２１５２２１号公報
【発明の概要】
【発明が解決しようとする課題】
【０００４】
近年、さらに携帯電子機器の利便性を向上せさせることが求められていた。
本発明の目的は、利便性が向上した携帯電子機器を提供することである。
【課題を解決するための手段】
【０００５】
本発明に係る携帯電子機器は、操作部と、外部操作により第１状態又は第２状態のいずれか一方の状態とされるスイッチ部と、前記スイッチ部の状態に応じて所定の機能の動作モードを制御する機能制御部と、前記スイッチ部が前記第１状態のときに前記操作部に対する操作を有効とし、前記スイッチ部が前記第２状態のときに前記操作部に対する操作を無効とする操作制御部と、を備え、前記所定の機能は、少なくとも第１モード及び第２モードの動作モードを有し、前記機能制御部は、前記スイッチ部が前記第１状態のときに前記操作部での操作により前記所定の機能が起動されると、前記所定の機能を前記第１モードにて動作させる。
【０００６】
さらに、本発明に係る携帯電子機器の前記操作制御部は、前記所定の機能が起動されている場合には、前記スイッチ部が前記第２の状態となっても前記操作部に対する操作を有効とする。
【０００７】
さらに、本発明に係る携帯電子機器の前記機能制御部は、前記所定の機能が起動されている場合に、前記スイッチ部が前記第２の状態とされると、前記動作モードを前記第２モードとする。
【０００８】
さらに、本発明に係る携帯電子機器の前記操作制御部は、前記スイッチ部が前記第２状態とされて前記所定の機能が前記機能制御部により前記第２モードにより動作されているときに、前記所定の機能の動作が終了されると、前記操作部に対する操作を無効とする。
【０００９】
さらに、本発明に係る携帯電子機器の前記操作制御部は、前記所定の機能の動作終了に伴い前記操作部に対する操作を無効とする場合に、操作無効となる旨を報知する。
【００１０】
さらに、本発明に係る携帯電子機器の前記第１モードは前記第２モードに対して優先度の高い動作モードである。
【００１１】
さらに、本発明に係る携帯電子機器の前記所定の機能は、通常モードとマクロモードとの動作モードを有する撮影機能であって、前記機能制御部は、前記第１モードとして前記通常モードにて前記撮影機能を動作し、前記第２モードとして前記マクロモードにて前記撮影機能を動作する。
【００１２】
さらに、本発明に係る携帯電子機器の前記所定の機能は、スピーカからの音声出力を規制する音声出力規制モードと当該音声出力が規制されない通常音声出力モードとの動作モードを有する音声出力機能であって、前記機能制御部は、前記第１モードとして前記音声出力規制モードにて前記音声出力機能を動作し、前記第２モードとして前記通常音声出力モードにて前記音声出力機能を動作する。
【００１３】
さらに、本発明に係る携帯電子機器の前記機能制御部は、前記所定の機能が動作されているときに、前記操作部での操作によって前記スイッチ部の状態に関係なく前記動作モードを設定可能とする。
【発明の効果】
【００１４】
本発明によれば、利便性が向上した携帯電子機器を提供することが可能となる。
【図面の簡単な説明】
【００１５】
【図１】図１は、本発明に係る携帯電子機器の一実施形態の概略構成を示す斜視図である。
【図２】図２は、携帯電子機器の機能ブロック図である。
【図３】図３は、撮像部の外観斜視図である。
【図４】図４は、本発明に係る制御部の処理手順を示したフローチャートである。
【図５】図５は、撮像機能の実行時における制御部の処理を示したフローチャートである。
【発明を実施するための形態】
【００１６】
以下、本発明につき図面を参照しつつ詳細に説明する。なお、以下の説明に基づく構成に本発明は限定されない。また、以下の説明における構成要素には、当業者が容易に想定できる構成要素、実質的に同一の構成要素、いわゆる均等の範囲の構成要素が含まれる。以下においては、携帯電子機器として携帯電話機を例として説明する。しかしながら、本発明の適用対象は携帯電話機に限定されず、例えば、ＰＨＳ（Ｐｅｒｓｏｎａｌ  Ｈａｎｄｙ−ｐｈｏｎｅ  Ｓｙｓｔｅｍ）、ＰＤＡ、ポータブルナビゲーション装置、ノートパソコン、ゲーム機等に対しても本発明は適用できる。
【００１７】
図１は、本発明に係る携帯電子機器の一実施形態の概略構成を示す斜視図である。また、図２は、携帯電子機器の機能ブロック図である。以下、図１および図２を用いて、携帯電子機器の各構成の説明を行う。
携帯電子機器１０は、無線通信機能を備えた携帯電話機であり、表示部１２、送受信部１３、テレビ放送受信部１４、マイク部１５、レシーバ部１６、スピーカ部１８、操作部１９、撮像部２０、ロックスイッチ部２２、バイブレータ部２３、タイマ部２４、記憶部２６、制御部２８を有する。また、携帯電子機器１０は、前述した各部が１つの箱型形状の筐体１１の内部に各部が収納されたストレート形状の携帯電話機である。なお、筺体１１の表面（面積が最も大きい面の一方の面）には、長手方向の一方の端部から他方の端部に向けて、順にレシーバ部１６、表示部１２、操作部１９、マイク部１５が配置されている。また、筺体１１の裏面（表面の反対側の面）の、レシーバ部１６側の端部には、スピーカ部１８と、撮像部２０が配置されている。さらに、筺体１１の長手方向の側面（表面と裏面とで挟まれている面）の撮像部２０の近傍には、ロックスイッチ部２２が配置されている。以下、各部の機能について説明する。
【００１８】
表示部１２は、ＬＣＤ（Ｌｉｑｕｉｄ  Ｃｒｙｓｔａｌ  Ｄｉｓｐｌａｙ）または有機ＥＬ（Ｅｌｅｃｔｒｏ−Ｌｕｍｉｎｅｓｃｅｎｃｅ）などの表示装置を備えている。表示部１２は、所定の画像として、携帯電子機器１０が受信を待機している状態のときに待ち受け画像を表示したり、携帯電子機器１０の操作を補助するために用いられるメニュー画像を表示したりする。
【００１９】
送受信部１３は、各種様々な情報を外部と送受信する。送受信部１３は、外部から電話着信情報や電子メール情報を受信したり、逆に電話発信情報を発信したりする。送受信部１３は、受信した情報を制御部２８に送り、制御部２８から送られてきた情報を送信する。
【００２０】
テレビ放送受信部１４は、テレビ中継局などから放送される放送番組の音声データや動画データを図示しないアンテナを介して受信し、当該電波から変換した電気信号を制御部２８に送出する。
【００２１】
マイク部１５は、振動板やボイスコイルなどによって構成され、外部で発生した音声を集音し、集音した音声を電気信号に変換する。また、レシーバ部１６、スピーカ部１８は、それぞれ音声を出力する音声出力機構である。レシーバ部１６は、音声通話の音声を出力する。また、スピーカ部１８は、着信音や、撮像機能実行中においてはシャッター音などを出力する。
【００２２】
操作部１９は、ユーザが操作を入力する入力機構、つまり、ユーザにより入力された操作を検出する検出部であり、複数のキーを有する。操作部１９は、たとえば、電話番号などの数値または文字を入力するための複数のテンキー、撮像機能起動キー１９ａ、テレビ機能起動キー１９ａ’、電源キー１９ｂ、クリアキー１９ｃ、十字及び決定キー１９ｄ等を有する。操作部１９は、各キーに対する操作（押下）に応じて、各キーに対応する操作信号を制御部２８に送る。
【００２３】
具体的には、撮影機能起動キー１９ａは、撮像部２０による撮像機能（所定の機能）を起動するためのキーである。また、テレビ機能起動キー１９ａ’は、テレビ放送受信部１４にから送出された音声及び画像の番組データを処理して放送番組を再生するテレビ機能を起動するためのキーである。また、電源キー１９ｂは、携帯電子機器１０の電源オン／オフ、または起動中のプログラムの終了を指示するためのキーである。また、クリアキー１９ｃは、起動中のプログラムに対する「戻る」又は「終了」を指示するためのキーである。また、十字及び決定キー１９ｄは、表示部１２に表示された複数の選択または確定のためのキーである。
【００２４】
次に、撮像部２０は、被写体を撮影する撮影装置であり、筐体１１の裏面に少なくとも画像を取得するための撮影レンズ窓などが露出した状態で配置されている。ここで、図３は、筐体１１の内部に配される撮像部２０の外観斜視図である。撮像部２０は、図３に示すように、ホルダ２０ａと、レンズ２０ｂと、レバー２０ｃとを有している。ホルダ２０ａは、円筒形状をしており、回転可能に撮像部本体内に取り付けられている。また、ホルダ２０ａは、レンズ２０ｂを一体的に保持しており外部から回転されることにより、レンズ２０ｂの光軸方向に前後運動をする。つまり、レンズ２０ｂは、ホルダ２０ａが回転することにより、ホルダ２０ａとともに光軸方向に動く。
これにより、撮像部２０は、ホルダ２０ａが回転することで、焦点距離を変化させる。また、レバー２０ｃは、ホルダ２０ａと連結されており、外部から操作されることにより、ホルダ２０ａを回転方向（光軸と垂直な方向）に回動させる。つまり、レバー２０ｂがα方向に移動された場合、ホルダ２０ａは、レンズ２０ｂも同時に回転させながら光軸方向に前後移動することにより、撮像部２０の焦点距離を変化させる。
【００２５】
撮像部２０は、撮像機能起動キー１９ａの操作がされた場合、撮像機能によって被写体の画像の取り込みを開始する。また、撮像部２０は、撮影動作の実行中は、決定キー１９ｄが操作されない限り、常に被写体の画像の取り込みを継続する。また、撮像部２０は、決定キー１９ｄが操作されると撮像を行う。具体的には、決定キー１９ｄに対して操作が行われた場合、撮像部２０は、決定キー１９ｄが操作された瞬間において取り込んでいた画像を撮像画像として確立させて一時保存する。そして、撮像部２０は、撮像した画像を、後述する記憶部２６に保存させる。なお、撮影部２０による撮影動作は、制御部２８によって制御される。
【００２６】
ロックスイッチ部２２（スイッチ部）は、前述したように、筐体１１の一つの側部に備えられている。ロックスイッチ部２２は、操作部１９に対する操作を有効にするか無効にするためのスイッチである。つまり、ロックスイッチ部２２は、たとえばオン状態とオフ状態の２つの状態をとり得るスライドスイッチなどから構成され、操作部１９をキーロックするか否かのスライド操作がユーザによって行われる。そして、ロックスイッチ部２２は、外部から操作されることにより、レシーバ部１６（図１における上側）に位置される第１状態、またはマイク部１５（図１における下側）に位置される第２状態いずれかの状態をとる。また、ロックスイッチ部２２は、第１状態である場合には第１状態であることを示す位置検出信号を送出し、第２状態である場合には第２状態であることを示す位置検出信号を送出する。
なお、ユーザは、携帯電子機器１０においてどのようなプログラムが処理されているとしても、ロックスイッチ部２２を、第１状態または第２状態のいずれかの状態にすることが出来る。そして、後に詳述するように、スライド操作により切り替えられるロックスイッチ部２２の状態に応じて、ユーザは、操作部１９に対する操作の有効／無効を設定することが出来る。
また、ロックスイッチ部２２は、前述した撮像部２０のレバー２０ｃと機械的に連動している。つまり、レバー２０ｃは、ロックスイッチ部２２が第１状態の位置に移動された場合、図３におけるα方向の一方側に移動させられ、このレバー２０ｃのα方向一方側への移動により、ホルダ２０ａも回動されて、ホルダ２０ａがレンズ２０ｂの焦点距離を長くする位置に保持される。逆に、レバー２０ｃは、ロックスイッチ部２２が第２状態の位置に移動された場合、図３におけるα方向の他方側に移動させられて、このレバー２０ｃのα方向他方側への移動により、ホルダ２０ａも回動されて、ホルダ２０ａがレンズ２０ｂの焦点距離を短くする位置に保持される。
【００２７】
バイブレータ部２３は、筐体１１の内部に備えられる。バイブレータ部２３は、偏心モータを有し、偏心モータを回転することにより筐体１１全体を振動させる。
【００２８】
タイマ部２４は、集積回路などで構成されており、所定時間（たとえば数秒程度の時間）の経過を計時する。
【００２９】
記憶部２６は、たとえばＮＡＮＤフラッシュメモリなどの不揮発性メモリなどから構成される。記憶部２６は、後述する制御部２８で実行する撮像機能やテレビ機能などの各種プログラムを記憶、保存する。また、記憶部２６は、撮像部２０によって撮像された画像情報などを記憶する。
【００３０】
制御部２８は、ＣＰＵ（Ｃｅｎｔｒａｌ  Ｐｒｏｃｅｓｓｉｎｇ  Ｕｎｉｔ）などから構成され、前述した、携帯電子機器１０が備える各部を総合的に制御する。制御部２８は、送受信部１３から送出されてくる音声情報の電気信号をデコードし、デコードした電気信号をレシーバ部１６または、スピーカ部１８に送出する。また、制御部２８は、テレビ放送受信部１４から受信した電気信号となった音声情報や動画情報に基づいて、表示部１２に画像を表示させ、スピーカ部１８に音声を出力させる。
【００３１】
さらに、制御部２８は、ロックスイッチ部２２が第１状態又は第２状態の少なくとも一方の状態であることを示す位置検出信号が入力されるスイッチ回路を有する。そして、制御部２８は、ロックスイッチ部２２の状態に応じてスイッチ回路に入力される信号に応じて、操作部１９に対する操作を有効にするか無効にするかを決定する。
【００３２】
たとえば、本実施形態においては、制御部２８は、ロックスイッチ部２２の状態が第１状態であると検出した場合、操作部１９に対する操作を有効にする。具体的には、制御部２８は、ロックスイッチ部２２の状態が第１状態である場合において操作部１９に対して操作が行われたとき、操作部１９から送出されてくる電気信号に対応した適切な処理を行う。
【００３３】
また、本実施形態においては、制御部２８は、ロックスイッチ部２２の状態が第２状態であると検出した場合、操作部１９に対する操作を無効にする。具体的には、制御部２８は、ロックスイッチ部２２の状態が第２状態である場合において操作部１９に対して操作が行われたとき、操作部１９から送出されてくる電気信号を無視する。即ち、制御部２８は、当該電気信号に応じた処理を行わない。また、制御部２８は、ロックスイッチ部２２の状態が第２状態であると検出した場合において操作部１９に対して操作が行われたとき、操作部１９から送出されてくる電気信号を無視するだけではなく、たとえば「キーロック中」などの操作部１９に対する操作が無効である旨を表示部１２に表示させる。
【００３４】
また、制御部２８は、撮像機能起動キー１９ａに対して撮像機能の起動操作がされたとき、記憶部２６に記憶された撮像機能の実行を開始する。また、制御部２８は、撮像機能を実行するに当たり、マクロモード又は通常モードのいずれかの撮影動作モードによって撮像処理を実行する。マクロモードとは、被写体に対して接写撮影をするための撮影モード、つまり短い焦点距離に適した撮影モードである。マクロモードは、ＱＲコード（登録商標）の撮影時などの限定された用途に用いられる。
また、通常モードは、マクロモードとは異なる撮影モードであり、マクロモードに比べて長い焦点距離における撮影に適した撮影モードである。通常モードは、主として人物や風景などが被写体である場合に用いられるモードであり、マクロモードに比べて汎用性の高く優先度の高い撮影モードである。
ところで、ロックスイッチ部２２の第１状態と第２状態との間の移動と撮像部２０のレバー２０ｃのα方向の移動とは前述したように連動する。従って、制御部２８は、ロックスイッチ部２２が第１状態であるとき、レバー２０ｃがα方向一方側へ移動させられて焦点距離が長くなる状態となるため、ロックスイッチ部２２から送出される位置検出信号に基づき通常モードで撮像機能を実行することになる。また、制御部２８は、ロックスイッチ部２２が第２状態であるとき、レバー２０ｃがα方向他方側へ移動させられて焦点距離が短くなる状態となるために、ロックスイッチ部２２から送出される位置検出信号に基づきマクロモードで撮像機能を実行することになる。
【００３５】
次に、図４を用いて、制御部２８の制御動作について説明する。図４は、本発明に係る携帯電子機器の制御部の処理手順を示したフローチャートである。以下、当フローチャートに沿って制御部２８の処理手順を説明する。
制御部２８は、電源キー１９ｂに対して押下操作が行われることにより、携帯電子機器１０の電源をオンにする（ステップＳ０）。
【００３６】
次に、制御部２８は、電源キー１９ｂに対して長押しの操作がされたか否かを確認する（ステップＳ１）。制御部２８は、電源キー１９ｂに対して長押しの操作がされていなかった場合（ステップＳ１／Ｎｏ）、電源キー１９ｂの長押し操作以外の操作部１９のキー操作がされたか否かを確認する（ステップＳ２）。制御部２８は、電源キー１９ｂの長押し操作以外の操作部１９のキーが操作されていなかった場合、即ち操作部１９に対して何れの操作もされていない場合（ステップＳ２／Ｎｏ）、再びステップＳ１の処理を行う。つまり、制御部２８は、Ｙｅｓと判定するまでステップＳ１、Ｓ２における判定を繰り返すことにより、操作部１９に対してポーリングする。
【００３７】
制御部２８は、電源キー１９ｂの長押しの操作がされた場合（ステップＳ１／Ｙｅｓ）、携帯電子機器１０の電源をオフにする。
【００３８】
また、制御部２８は、電源キー１９ｂの長押し操作以外のキー操作が操作部１９に対してされたことを検出した場合（ステップＳ２／Ｙｅｓ）、ロックスイッチ部２２の状態を確認する（ステップＳ３）。
そして、制御部２８は、ロックスイッチ部２２が第１状態に位置されていることが検出された場合、つまり操作部１９に対する操作が有効になるように設定されていた場合（ステップＳ３／有効）、撮像機能起動キー１９ｂが操作されたか否かを確認する（ステップＳ４）。
また、制御部２８は、ステップＳ３において、ロックスイッチ部２２が第２状態に位置されていることが検出された場合、つまり操作部１９に対する操作が無効に設定されていた場合（ステップＳ３／無効）、操作部１９から送出される電気信号を無視することにより、操作部１９に対する操作を無効にする（ステップＳ５）。また、制御部２８は、ステップＳ５において、たとえば「キーロック中」などの操作部１９に対する操作が無効である旨のメッセージを、表示部１２に表示させる。
そして、制御部２８は、前述したステップＳ５の処理が終了した後、ステップＳ１以降の処理を再び行う。
【００３９】
制御部２８は、ステップＳ４にて撮像機能起動キー１９ａが操作されたことを検出した場合（ステップＳ４／Ｙｅｓ）、撮像機能を起動させて、記憶部２６に記憶されている撮像機能の実行を開始することにより撮像部２０の制御を開始する（ステップＳ６）。なお、ステップＳ６における制御部２８の処理については、後に詳述する。
また、制御部２８は、ステップＳ４にて、撮像機能起動キー１９ａが操作されていない場合（ステップＳ４／ＮＯ）、操作部１９からの電気信号に基づいた適切な処理を行う（ステップＳ７）。
そして、制御部２８は、前述したステップＳ５、Ｓ６またはＳ７の処理が終了した後、再びステップＳ１以降の処理を再び行う。
このように、制御部２８は、電源オフとなるまでステップＳ１からステップＳ７までの処理を繰り返す。
【００４０】
図５は、図４のフローチャートのステップＳ６における制御部２８での撮像機能の実行の処理を示したフローチャートである。制御部２８は、撮像機能起動キー１９ａに対して操作が行われた場合においてロックスイッチ部２２の状態が第１状態であったとき、操作された撮像機能起動キー１９ａから送出された撮像機能を起動するための電気信号を、適切に処理し、撮像機能の実行を開始する。
実行開始直後、ロックスイッチ部２２は第１状態である。従って、制御部２８は、ロックスイッチ部２２の位置検出信号に基づき撮像機能の動作モードを通常モードに設定したうえで、撮像機能の実行を開始して撮像部２０を制御する（ステップＳ１１）。また、制御部２８は、通常モードを開始すると同時に、所定時間の計時をタイマ部２４にスタートさせる。
【００４１】
次に、制御部２８は、決定キー１９ｄが操作されたか否かを確認する（ステップＳ１２）。制御部２８は、決定キー１９ｄに対して操作が行われたことを検出した場合（ステップＳ１２／Ｙｅｓ）、撮像部２０に被写体の撮像を行わせ、さらに制御部２８は、撮像部２０によって撮像された被写体の画像情報を、記憶部２６に保存させる（ステップＳ１６）。なお、ステップＳ１６の時点で撮像部２０が撮像される画像は、焦点距離の長い通常モードで撮像された画像である。制御部２８は、ステップＳ１６の処理が終了した後、ステップＳ１１に進んでタイマ部２４をリセットし、通常モードでの撮像機能の実行を継続する。
【００４２】
制御部２８は、決定キー１９ｄが操作されたことを検出しなかった場合（ステップＳ１２／Ｎｏ）、電源キー１９ｂまたはクリアキー１９ｃが操作されたか否かを確認する（ステップＳ１３）。制御部２８は、電源キー１９ｂまたはクリアキー１９ｃが操作されていないことを検出した場合（ステップＳ１３／Ｎｏ）、タイマ部２４がタイムアウトしたか否かを確認する（ステップＳ１４）。制御部２８は、タイマ部２４がタイムアウトしていないことを確認した場合（ステップＳ１４／Ｎｏ）、ロックスイッチ部２２が操作されたか否かを確認する（ステップＳ１５）。制御部２８は、ロックスイッチ部２２が操作されていないことを検出した場合（ステップＳ１５／Ｎｏ）、再びステップＳ１２の処理を行う。つまり、制御部２８は、ステップＳ１２、ステップＳ１３、Ｓ１４およびＳ１５のいずれかでＹｅｓと判定するまで、ステップＳ１２、Ｓ１３、Ｓ１４およびＳ１５における判定を繰り返し、操作部１９、タイマ部２４およびロックスイッチ部２２に対してポーリングする。
【００４３】
制御部２８は、ステップＳ１３においてＹｅｓと判定した場合、つまりステップＳ１２、Ｓ１３、Ｓ１４およびＳ１５におけるポーリング中に、電源キー１９ｂまたはクリアキー１９ｃに対して撮像機能の実行終了指示の操作が行われたことを検出した場合（ステップＳ１３／Ｙｅｓ）、撮像機能の実行を終了する。また、制御部２８は、ステップＳ１１においてスタートさせたタイマ部２４の所定時間の計時がタイムアウトしたことを検出した場合も（ステップＳ１４／Ｙｅｓ）、撮像機能の実行を終了する。
【００４４】
また、制御部２８は、ステップＳ１２、Ｓ１３、Ｓ１４およびＳ１５におけるポーリング中に、ロックスイッチ部２２に対する操作を検出した場合（ステップＳ１５／Ｙｅｓ）、つまりロックスイッチ部２２の状態が第１状態から第２状態へ変更したことを検出した場合、通常モードを終了（設定解除）して（ステップＳ１８）、撮像機能の動作モードをマクロモードに設定するとともに、ステップＳ１９においても撮像機能の実行を継続する（ステップＳ１９）。
つまり、制御部２８は、ポーリング中に電源キー１９ｂまたはクリアキー１９ｃに対して操作が行われたり、タイマ部２４の所定時間の計時がタイムアウトしたりした場合には撮像機能も含めて通常モードを終了させる。そして、制御部２８は、ロックスイッチ部２２に対する操作が行われた場合には、動作モードをマクロモードに設定した上で撮像機能の実行を継続する。
【００４５】
また、制御部２８は、ステップＳ１９において動作モードをマクロモードに設定すると同時に、制御部２８は、ステップＳ１１においてスタートさせた所定時間の計時とは別の新たな所定時間の計時をタイマ部２４にスタートさせる。
次に、制御部２８は、決定キー１９ｄが操作されたか否かを確認する（ステップＳ２０）。
【００４６】
制御部２８は、決定キー１９ｄに対する操作が行われたことを検出した場合（ステップＳ２０／Ｙｅｓ）、撮像部２０に被写体の撮像を行わせ、さらに制御部２８は、撮像部２０によって撮像された被写体の画像情報を、記憶部２６に保存させる（ステップＳ２４）。なお、ステップＳ２０の時点で撮像部２０が撮像する画像は、焦点距離の短いマクロモードで撮像された画像である。制御部２８は、ステップＳ２４の処理が終了した後、ステップＳ１９の処理においてタイマ部２４をリセットし（ステップＳ１９）、マクロモードでの撮像機能の実行を継続して再びステップＳ２０の処理を行う。
【００４７】
制御部２８は、決定キー１９ｄが操作されたことを検出しなかった場合（ステップＳ２０／Ｎｏ）、電源キー１９ｂまたはクリアキー１９ｃが操作されたか否かを確認する（ステップＳ２１）。制御部２８は、電源キー１９ｂまたはクリアキー１９ｃが操作されたことを検出しなかった場合（ステップＳ２１／Ｎｏ）、ステップＳ１９のタイマ部２４がタイムアウトしたか否かを確認する（ステップＳ２２）。制御部２８は、タイマ部２４がタイムアウトしていなかった場合（ステップＳ２２／Ｎｏ）、ロックスイッチ部２２が操作されたか否かを確認する（ステップＳ２３）。制御部２８は、ロックスイッチ部２２が操作されたことを検出しなかった場合（ステップＳ２３／Ｎｏ）、再びステップＳ２０の処理を行う。つまり、制御部２８は、ステップＳ２０、ステップＳ２１、Ｓ２２およびＳ２３のいずれかでＹｅｓと判定するまでステップＳ２０、Ｓ２１、Ｓ２２およびＳ２３における判定を繰り返し、操作部１９、タイマ部２４およびロックスイッチ部２２に対してポーリングする。
【００４８】
制御部２８は、ステップＳ２０、Ｓ２１、Ｓ２２およびＳ２３におけるポーリング中に、ロックスイッチ部２２に対して操作が行われたことを検出した場合（ステップＳ２３／Ｙｅｓ）、つまりロックスイッチ部２２が第２状態から第１状態へ移動されたことを検出した場合、マクロモードの設定を解除する（ステップＳ２５）。そして、制御部２８は、その後にステップＳ１１の処理を開始し、撮像機能の動作モードを通常モードに再設定し、撮像機能の実行を継続させる（ステップＳ１１）。
【００４９】
また、制御部２８は、ステップＳ２０、Ｓ２１、Ｓ２２およびＳ２３におけるポーリング中に、ステップＳ２１にて電源キー１９ｂまたはクリアキー１９ｃに対して撮像機能の実行終了指示の操作が行われたことを検出した場合（ステップＳ２１／Ｙｅｓ）、制御部２８は、タイマ部２４にステップＳ１１またはステップＳ１９においてスタートさせた所定時間の計時とは別の新たな所定時間の計時をスタートさせる（ステップＳ２６）。
【００５０】
次に、制御部２８は、ロックスイッチ部２２が操作されたか否かを確認する（ステップＳ２７）。制御部２８は、ロックスイッチ部２２が操作されたことを検出しなかった場合（ステップＳ２７／Ｎｏ）、ステップＳ２６のタイマ部２４の計時がタイムアウトしたか否かを確認する（ステップＳ２８）。制御部２８は、タイマ部２４がタイムアウトしていなかった場合（ステップＳ２８／Ｎｏ）、再びステップＳ２７の処理を行う。つまり、制御部２８は、ステップＳ２７またはＳ２８のいずれかでＹｅｓと判定するまでステップＳ２７およびＳ２８における判定を繰り返し、ロックスイッチ部２２およびタイマ部２４に対してポーリングする。
【００５１】
さらに、制御部２８は、ステップＳ２７、Ｓ２８におけるポーリングを行っている場合において、ステップＳ２７でロックスイッチ部２２に対する操作が行われたことを検出したとき、つまり、ロックスイッチ部２２が第２状態から第１状態になったとき（ステップＳ２７／Ｙｅｓ）、マクロモードの設定を解除して（ステップＳ３０）、撮像機能を終了する。
また、制御部２８は、ステップＳ２７、Ｓ２８におけるポーリングを行っている場合において、タイマ部２４の所定時間の計時がタイムアウトしたことを検出したとき（ステップＳ２８／Ｙｅｓ）、ロックスイッチ部２２が第２状態に位置されていることに伴い、操作が無効になることを、バイブレータ部２３を振動させることによって通知する（ステップＳ３１）。そして、制御部２８は、ステップＳ３１の処理の後にマクロモードの設定を解除し（ステップＳ３０）、撮像機能を終了する。
【００５２】
また、制御部２８は、ステップＳ２０、Ｓ２１、Ｓ２２およびＳ２３におけるポーリングをしている場合においてステップＳ１９のタイマ部２４がタイムアウトしたことを検出したとき（ステップＳ２２／Ｙｅｓ）、ステップＳ３１のときと同様に、所定時間何も操作が行われなかったことに伴って撮像機能を終了するために操作が無効になることを、バイブレータ部２３を振動させることによって通知する（ステップＳ３２）。そして、制御部２８は、ステップＳ３２の処理の後にマクロモードの設定を解除して撮像機能を終了する（ステップＳ３０）。
【００５３】
以上、前述した構成を有する携帯電子機器１０は、以下に述べる効果を奏する。つまり、携帯電子機器１０において、ロックスイッチ部２２の状態と撮像機能の撮影モードとが連動し、ロックスイッチ部２２が第１状態（操作部１９に対する操作が有効である状態）である場合、マクロモードに比べてより汎用性（使用頻度）が高く優先度の高い通常モードが撮影モードとして設定されることにより、ユーザは、撮像機能の実行を開始する際には、必ず優先度の高い通常モードで撮像機能を利用出来るようになる。
【００５４】
また、制御部２８が通常モードで撮像機能を動作中に、ロックスイッチ部２２の状態が第１状態から第２状態へとユーザによって変更されたとき、制御部２８は撮像機能の実行を継続する。従って、ユーザは、撮像機能が動作中においてロックスイッチ部２２が第２状態となったとしても、引き続き撮像機能を使用することが出来る。
【００５５】
また、制御部２８が通常モードで撮像機能を動作中に、ロックスイッチ部２２の状態が第１状態から第２状態へとユーザによって変更されたとき、制御部２８は撮影モードをマクロモードに設定する。従って、ユーザは、操作部１９での操作により撮像機能を起動させた場合、優先度の高いモードで撮像機能の動作を開始することによって、スムーズな撮像を行うことが出来ると共に、ロックスイッチ部２２の状態を切り替えることにより、自らが所望する撮影モードを自由に選択できる。
【００５６】
また、マクロモードで撮像機能が動作されている場合に、ユーザがロックスイッチ部２２の状態を第２状態から第１状態へと変更したとき、制御部２８は撮影モードを通常モードに設定（変更）する。従って、ユーザは、撮像機能の動作中に、ロックスイッチ部２２を操作することにより、撮影モードを任意の動作モードに設定できる。
【００５７】
また、制御部２８は、ロックスイッチ部２２が第２状態である場合（つまり撮影モードがマクロモードである場合）、電源キー１９ｂまたはクリアキー１９ｃに対して撮像機能の実行終了指示の操作が行われたことを検出したとき、操作部１９に対する操作を無効にする。換言すれば、制御部２８は、撮像機能を終了する場合に、ロックスイッチ部２２が第２状態であるとき、操作部１９に対する操作を無効にする。従って、ユーザは、撮像機能が終了された後にマクロモードという優先度の低い撮影モードで撮像機能の実行を開始することできない。従って、ユーザの利便性は向上する。
【００５８】
また、制御部２８は、ロックスイッチ部２２が第２状態である場合（つまり撮影モードがマクロモードである場合）、電源キー１９ｂまたはクリアキー１９ｃに対して撮像機能の実行終了指示の操作が行われたことを検出したとき、バイブレータ部２３を振動させることによって操作が無効になることをユーザに通知する。従って、ユーザは、撮像機能の実行終了後において、操作部１９に対する操作が有効であるかまたは無効であるかを認識することが出来る。
【００５９】
また、ユーザは、撮像機能が制御部２８によって動作されている場合において、電源キー１９ｂまたはクリアキー１９ｃを操作するだけで、撮像機能を簡単に終了することが出来る。
【００６０】
また、撮影モード（マクロモードと通常モード）をユーザ操作に応じて設定するためのスイッチであるモードスイッチと、キーロックするか否かをユーザ操作に応じて設定するためのロックスイッチとの二つのスイッチを有する携帯電子機器のユーザに比べて、本実施形態における携帯電子機器１０のユーザは、撮影モードの設定とキーロックの設定とを一つのロックスイッチ部２２で行うことが出来る。従って、本実施形態における携帯電子機器１０は、ユーザの操作性及び利便性を高めると共に、部品点数の削減を図ることが出来る。
【００６１】
なお、前述した実施形態においては、制御部２８が所定の機能として撮像機能を実行する例を示したが、実施形態はこれに限られない。
たとえば、撮像機能の代わりに、制御部２８は、前述したテレビ機能を実行しても良い。前述したように、制御部２８のテレビ機能は、テレビ放送受信部１４にから送出された音声及び画像の番組データを処理して放送番組を、表示部１４およびスピーカ部１８に再生させる機能である。また、テレビ機能を実行する制御部２８は、音声データに基づく音声出力をスピーカ部１８にさせない消音モードと、音声データに基づく音声出力をスピーカ部１８にさせる音声出力モードとを有する。
このように構成されることにより、テレビ機能の使用を開始する際、ユーザは、消音モードで実行されたテレビ機能を開始することとなる。
従って、制御部２８によってテレビ機能の実行が開始されたときにスピーカ部１８から音声は出力されないため、ユーザは、テレビ機能開始時に周囲に対して迷惑をかけずにすむ。
以上、テレビ機能について説明したものの、他にも音声データの処理だけを行う、たとえばラジオ放送機能、または音楽再生機能を、制御部２８は実行してもよい。
【００６２】
なお、前述した実施形態においては、ロックスイッチ部２２の第１状態、第２状態それぞれに連動したモードは、プリセットされているモードとして説明を行った。しかしながら、実施形態はこれに限られない。たとえば、ユーザが任意のモードを第１状態、第２状態それぞれに連動させることが出来る構成であってもよい。
【００６３】
なお、前述した実施形態においては、マクロモードの撮像機能を終了する場合、制御部２８は、バイブレータ部２３に振動させる構成を示したものの、実施形態はこれに限られない。たとえば、制御部２８は、ユーザに注意を促す表示を表示部１２させたり、スピーカ部１８に音声を出力させたりすることにより、操作部１９に対する操作が無効である旨を報知してもよい。
【００６４】
なお、前述した実施形態においては、撮像機能が実行される前においてロックスイッチ部２２が第２状態である場合、制御部２８は、操作部１９に対する操作が無効である旨を、表示部１２に表示させる構成を有しているものの、実施形態はこれに限られない。たとえば、制御部２８は、スピーカ部１８に音声を出力させたり、バイブレータ部２３を振動させたりして、操作部１９に対する操作が無効である旨を報知してもよい。
【００６５】
なお、前述した実施形態においては、制御部２８は、操作部１９が操作された後にロックスイッチ部２２の状態が第１状態であるか第２状態であるか否かを確認している（ステップＳ３）。しかしながら、実施形態はこれに限られない。たとえば、制御部２８は、ステップＳ１、Ｓ２におけるポーリングの最中に、ロックスイッチ部２２の状態の変化を検出したとき、変化後の状態が第１状態であるか第２状態であるかを記憶部２６に記憶させてもよい。そして、制御部２８は、ステップＳ１またはステップＳ２において操作部１９が操作された場合、記憶部２６に記憶されているロックスイッチ部２２の状態を参照することにより、ロックスイッチ部２２が第１状態または第２状態であるか否かを確認してもよい。
【００６６】
なお、前述した実施形態においては、ロックスイッチ部２２は、機械的に撮像部２０と連動している。しかしながら、実施形態はこれに限られない。たとえば、電気信号による制御によってロックスイッチ部２２と撮像部２０とは連動してもよい。
【符号の説明】
【００６７】
１０  携帯電子機器
１１  筐体
１２  表示部
１３  送受信部
１４  テレビ放送受信部
１５  マイク部
１６  レシーバ部
１８  スピーカ部
１９  操作部
１９ａ  撮像機能起動キー
１９ａ’  テレビ機能起動キー
１９ｂ  電源キー
１９ｃ  クリアキー
１９ｄ  決定キー
２０  撮像部
２０ａ  ホルダ
２０ｂ  レンズ
２０ｃ  レバー
２２  ロックスイッチ部
２３  バイブレータ
２４  タイマ
２６  記憶部
２８  制御部
【図１】
2012034063.tif 000003
【図２】
2012034063.tif 000004
【図３】
2012034063.tif 000005
【図４】
2012034063.tif 000006
【図５】
2012034063.tif 000007